(57)【要約】【課題】  サーバに気配情報の要求中であっても操作部からの操作で次々と銘柄を切り替えて表示し、表示銘柄の気配情報を取得して表示でき、操作性及び利便性を向上させる情報表示端末を提供する。【解決手段】  サーバに気配情報要求中の銘柄を記憶する第１のテーブルと、表示中の銘柄を記憶する第２のテーブルとを備え、制御部が、表示中の銘柄が切り替えられた場合に、気配情報の要求中でなければ、サーバに新たに表示した銘柄の気配情報を要求すると共に第１及び第２のテーブルを当該銘柄で更新し、気配情報の要求中であれば第２のテーブルを当該銘柄で更新し、サーバから気配情報の要求に対する応答を受信すると、第１、第２のテーブルが一致すれば、応答に続いて受信した気配情報を表示し、一致しなければ、サーバに対して第２のテーブルに記憶されている銘柄の気配情報を要求して第１のテーブルを当該銘柄で更新する情報表示端末としている。【選択図】        図３
2011134154.tif 000002
【特許請求の範囲】
【請求項１】
株価情報を配信する配信サーバからネットワークを介して受信した株価情報を表示するクライアントを備えたシステムにおいて、前記クライアントとして用いられる情報表示端末であって、
操作者が操作を行う操作部と、
受信した株価情報を表示する表示部と、
データを記憶する記憶部と、
前記配信サーバに対する気配情報の要求や、株価情報の表示制御を行う制御部とを備え、
前記記憶部が、前記配信サーバに対して気配情報要求中の銘柄を記憶する第１のテーブルと、前記表示部に表示中の銘柄を記憶する第２のテーブルとを備え、
前記制御部が、前記操作部からの操作で表示中の銘柄が切り替えられた場合に、前記配信サーバに気配情報を要求中でなければ、前記配信サーバに新たに表示した銘柄の気配情報を要求すると共に前記第１のテーブル及び前記第２のテーブルを当該銘柄で更新し、前記配信サーバに気配情報を要求中であれば前記第２のテーブルを当該銘柄で更新し、
前記配信サーバから前記気配情報の要求に対する応答を受信すると、前記第１のテーブルと前記第２のテーブルとを比較して、一致する場合には、前記応答に続いて受信した気配情報を前記表示部に出力し、一致しない場合には、前記配信サーバに対して、前記第２のテーブルに記憶されている銘柄の気配情報を要求すると共に前記第１のテーブルを当該銘柄で更新することを特徴とする情報表示端末。
【発明の詳細な説明】
【技術分野】
【０００１】
本発明は、株価情報を配信して表示する株価情報表示システムにおける情報表示端末であって、特に使い勝手及び利便性を向上させることができる情報表示端末に関する。
【背景技術】
【０００２】
［先行技術の説明］
株価情報表示システムは、株価情報を受信して配信するサーバと、操作者の操作により所望の株価情報を表示する複数のクライアント（情報表示端末）とを備え、サーバとクライアントとはローカル接続や専用線等を用いたイントラネットや、インターネットによって接続されている。
【０００３】
そして、株価情報表示システムでは、サーバは、株価約定系データ（４本値、売買高等）については受信したデータを全てクライアントに配信する全データ配信方式で配信し、気配系データについてはクライアントから登録された銘柄のみを配信する問い合わせ方式で配信するようになっている。
気配系データは、株等の指値注文がどのように入っているかを示す情報である。
【０００４】
クライアントでは、株価約定系データは配信されると即時に画面に表示し、気配系データは、参照する銘柄を指定して送信することによりサーバに当該銘柄の気配系データを要求し、サーバからの応答に基づいて表示するようになっている。
【０００５】
また、クライアントは、サーバに対して気配系データの問い合わせ要求を行った場合、サーバから当該問い合わせ要求に対する応答を受信するまでは、次の操作（画面切り替え操作）を行うことができないようになっていた。
【０００６】
尚、株価情報表示システムに関する技術としては、特開２００２−１８３４５０号公報「配信制御方法」（出願人：株式会社日立国際電気、特許文献１）がある。
特許文献１には、クライアントが、受信した自動更新通知に含まれる銘柄毎に、当該通知に含まれる更新項目と、予め銘柄に対応して記憶されている表示項目とを比較し、少なくとも一つが一致する場合に当該銘柄の更新情報の取得要求を行うことにより、サーバ／クライアント間の通信量を低減することが記載されている。
【先行技術文献】
【特許文献】
【０００７】
【特許文献１】特開２００２−１８３４５０号公報
【発明の概要】
【発明が解決しようとする課題】
【０００８】
しかしながら、従来の情報表示端末では、気配系データの問い合わせ要求を行った場合、サーバから当該問い合わせ要求に対する応答を受信するまで次の操作を行うことができないため操作感が悪く、また、次々と参照する銘柄を切り替えて情報を取得するといった操作が困難であるという問題点があった。
【０００９】
本発明は上記実状に鑑みて為されたもので、問い合わせ中であっても操作を可能とし、次々と銘柄を変えて表示すると共にそれに対応する気配系データを表示することができ、使い勝手及び利便性を向上させることができる情報表示端末を提供することを目的とする。
【課題を解決するための手段】
【００１０】
上記従来例の問題点を解決するための本発明は、株価情報を配信する配信サーバからネットワークを介して受信した株価情報を表示するクライアントを備えたシステムにおいて、クライアントとして用いられる情報表示端末であって、操作者が操作を行う操作部と、受信した株価情報を表示する表示部と、データを記憶する記憶部と、配信サーバに対する気配情報の要求や、株価情報の表示制御を行う制御部とを備え、記憶部が、配信サーバに対して気配情報要求中の銘柄を記憶する第１のテーブルと、表示部に表示中の銘柄を記憶する第２のテーブルとを備え、制御部が、操作部からの操作で表示中の銘柄が切り替えられた場合に、配信サーバに気配情報を要求中でなければ、配信サーバに新たに表示した銘柄の気配情報を要求すると共に第１のテーブル及び第２のテーブルを当該銘柄で更新し、配信サーバに気配情報を要求中であれば第２のテーブルを当該銘柄で更新し、配信サーバから気配情報の要求に対する応答を受信すると、第１のテーブルと第２のテーブルとを比較して、一致する場合には、応答に続いて受信した気配情報を表示部に出力し、一致しない場合には、配信サーバに対して、第２のテーブルに記憶されている銘柄の気配情報を要求すると共に第１のテーブルを当該銘柄で更新することを特徴としている。
【発明の効果】
【００１１】
本発明によれば、株価情報を配信する配信サーバからネットワークを介して受信した株価情報を表示するクライアントを備えたシステムにおいて、クライアントとして用いられる情報表示端末であって、操作者が操作を行う操作部と、受信した株価情報を表示する表示部と、データを記憶する記憶部と、配信サーバに対する気配情報の要求や、株価情報の表示制御を行う制御部とを備え、記憶部が、配信サーバに対して気配情報要求中の銘柄を記憶する第１のテーブルと、表示部に表示中の銘柄を記憶する第２のテーブルとを備え、制御部が、操作部からの操作で表示中の銘柄が切り替えられた場合に、配信サーバに気配情報を要求中でなければ、配信サーバに新たに表示した銘柄の気配情報を要求すると共に第１のテーブル及び第２のテーブルを当該銘柄で更新し、配信サーバに気配情報を要求中であれば第２のテーブルを当該銘柄で更新し、配信サーバから気配情報の要求に対する応答を受信すると、第１のテーブルと第２のテーブルとを比較して、一致する場合には、応答に続いて受信した気配情報を表示部に出力し、一致しない場合には、配信サーバに対して、第２のテーブルに記憶されている銘柄の気配情報を要求すると共に第１のテーブルを当該銘柄で更新する情報表示端末としているので、配信サーバに対する気配情報の要求中であっても操作部からの操作を可能とし、気配情報の要求中に画面切り替えの操作がなされた場合に、第１のテーブルと第２のテーブルとを比較することにより、気配情報の要求時の銘柄と現時点で表示されている銘柄とが異なる場合には、現時点での表示銘柄の気配情報を要求して表示することができ、操作部からの操作で次々と画面を切り替えて表示させることができると共に、画面に合わせて適切な気配情報を要求して表示させることができ、使い勝手及び利便性を向上させることができる効果がある。
【図面の簡単な説明】
【００１２】
【図１】本発明の実施の形態に係る株価情報表示システムの概略構成を示す構成ブロック図である。
【図２】本システムにおける動作の概要を示す説明図である。
【図３】本実施の形態に係る情報表示端末の構成及び動作を示す模式説明図である。
【図４】本情報表示端末のネットワーク制御手段における処理を示すフローチャートである。
【発明を実施するための形態】
【００１３】
［実施の形態の概要］
本発明の実施の形態について図面を参照しながら説明する。
本発明の実施の形態に係る情報表示端末は、現在表示中の銘柄と、サーバに対して気配系データを要求する登録要求を行っている銘柄とを記憶しておき、制御部が、ある銘柄について登録要求後サーバからのデータの受信待ちであっても操作部からの表示切替の操作を可能として、表示が切り替えられると随時表示中の銘柄を更新して記憶し、また、サーバから気配系データを受信すると、受信した銘柄が現時点で表示している銘柄かどうかを判断して、異なる場合には現時点で表示している銘柄についてサーバに登録要求を送信するものであり、登録要求後の操作待ちがなくなり、次々と表示させる銘柄を切り替えても適切な気配系データを要求して表示することができ、操作性及び利便性を向上させることができるものである。
【００１４】
また、本発明の実施の形態に係る情報表示端末は、複数の銘柄の組み合わせについて登録要求を送信するものであって、現在表示中の銘柄の組み合わせと、サーバに対して気配系データを要求する登録要求を行っている銘柄の組み合わせとを記憶しておき、制御部が、登録要求後サーバからのデータの受信待ちであっても操作部からの表示切替の操作を可能とし、表示が切り替えられると随時表示中の銘柄を更新して記憶し、また、サーバから気配系データを受信すると、受信した銘柄の組み合わせが現時点で表示している銘柄の組み合わせかどうかを判断して、異なる場合には現時点で表示している銘柄の組み合わせについてサーバに登録要求を送信するものであり、登録要求後の操作待ちがなくなり、次々と表示させる銘柄の組み合わせを切り替えても適切な気配系データを要求して表示することができ、操作性及び利便性を向上させることができるものである。
【００１５】
［実施の形態の株価情報表示システム：図１］
本発明の実施の形態に係る株価情報表示システム（本システム）について図１を用いて説明する。図１は、本発明の実施の形態に係る株価情報表示システムの概略構成を示す構成ブロック図である。
図１に示すように、本システムは、配信サーバ１を備えたセンタシステムと、複数のクライアント２を備えたユーザシステムとがインターネット又は専用ネットワークで接続された構成である。
本発明の実施の形態に係る情報表示端末は、クライアント２として用いられるものである。
【００１６】
配信サーバ１は、少なくとも、ＣＰＵ（Central Processing Unit）等の処理手段を備えた制御部と、制御部における処理プログラムや受信したデータを記憶する記憶部と、ネットワークに接続するインタフェース部とを備えたコンピュータで構成されている。
クライアント２は、配信サーバ１と同様の制御部と、記憶部と、インタフェース部のほか、少なくとも、受信した株価情報等を表示する表示部と、操作者が操作を行う操作部とを備えたコンピュータである。
【００１７】
配信サーバ１及びクライアント２は、記憶部に記憶されたプログラムを制御部が起動することにより各種処理手段を実現し、配信サーバ１では株価情報の受信、配信、蓄積等の処理を行い、クライアント２では、受信、要求、蓄積、表示制御等の処理を行う。
【００１８】
そして、本システムにおいては、配信サーバ１が、４本値や売買高等の約定系データを全データ配信方式で配信し、気配系データをクライアント２からの要求（登録要求）に基づいて配信するようになっている。
【００１９】
そして、本システムのクライアント２の特徴として、操作部から画面切り替えの操作がなされた場合に、配信サーバ１に気配系データを要求する登録要求を行っていなければ直ちに当該銘柄の登録要求を送信し、登録要求中であれば、新たに表示された銘柄を次に登録要求する銘柄として保持しておくことにより、登録要求後、気配系データを受信するまでの間であっても、操作部からの画面切り替えの操作を可能としたものである。
【００２０】
これにより、気配系データの配信待ちの間の操作無効の時間をなくし、例えば次々と表示銘柄を変えるような操作を行うことができるようになるものであり、操作性を向上させるものである。
更に、切り替え操作によって、登録要求時と気配系データの受信時とで表示銘柄が異なっている場合には、その時点で表示されている銘柄の気配系データを要求する登録要求を送信して、適切な銘柄の気配系データを取得できるようにしている。
【００２１】
［本システムの動作の概要：図２］
次に、本システムにおける動作の概要について図２を用いて説明する。図２は、本システムにおける動作の概要を示す説明図である。
図２では、本システムの基本的な動作の概要を示すために、配信サーバと、クライアント２の制御部におけるネットワーク制御手段（ＮＷ制御手段）及び表示制御手段について説明する。
まず、クライアント２において、ある銘柄についての情報を表示する個別画面で銘柄Ａの情報が表示されている状態で（１）、操作部から銘柄切替キーの押下により個別画面が銘柄Ａから銘柄Ｂに切り替えられる（２）。
【００２２】
一方、配信サーバ１からは、銘柄Ａ、銘柄Ｂともに約定系データは常時配信され（３）、クライアント２では、ネットワーク制御手段が約定系データを受信して表示制御手段に出力し、表示制御手段が約定系データの表示を行う（４）。
【００２３】
クライアント２の表示制御手段は、表示銘柄が銘柄Ｂに切り替えられたことにより、銘柄Ｂについての気配系データの配信を要求し（気配配信要求）（５）、クライアント２のネットワーク制御手段が配信サーバ１に気配系データの配信を要求する（５）。
【００２４】
そして、配信サーバ１が要求に応じて、銘柄Ｂの気配系データを送信することを通知する気配配信応答を送信し（６）、それに続いて銘柄Ｂの気配系データを送信する（７）。
クライアント２のネットワーク制御手段は、気配系データを受信して表示制御手段に出力し、表示制御手段が、気配系データを銘柄Ｂを表示する個別画面に表示出力する（８）。
このようにして、本システムにおける基本的な動作が行われる。
【００２５】
［本システムの情報表示端末の特徴］
本情報表示端末では、上述したように、気配系データの配信待ち状態において、操作部からの操作を可能としている。
例えば、図２の例で、（５）で銘柄Ｂの気配系データを要求して、その応答を待っている間に、更に表示銘柄を別の銘柄に切り替える操作を行うことができるものである。
切り替えた個別画面では銘柄名や既に受信している約定系の情報を表示しておき、気配系データをサーバに要求して受信すると気配系データを当該画面で表示する。
【００２６】
そして、本情報表示端末では、気配系データの要求や表示を管理するために、記憶部に気配系銘柄管理情報を記憶している。そして、気配系銘柄管理情報として、操作部からの操作によって即時に切り替わる「個別画面で表示している銘柄」の情報と、「配信サーバに対して気配系データを要求している銘柄」の情報を記憶しておき、制御部が、これらの情報を用いて個別画面の表示と気配系データの要求及び表示とを連動させるようにしている。
【００２７】
［気配系データの管理に用いられるテーブル：図３］
次に、本システムにおいてクライアント２として用いられる情報表示端末の処理手段と、参照されるテーブル及び動作について図３を用いて説明する。図３は、本実施の形態に係る情報表示端末の構成及び動作を示す模式説明図である。
まず、本情報表示端末の制御部の処理手段と、テーブルについて図３を用いて説明する。
本情報表示端末は、制御部の処理手段として、表示部における表示制御を行う表示制御手段２１と、配信サーバに対するデータの要求や配信サーバからのデータの受信を行うネットワーク制御手段２２とを備えている。
【００２８】
［表示処理手段２１］
表示制御手段２１は、操作部からの切替指示により、個別画面を切り替えて表示を行うと共に、表示中の銘柄について気配系データを要求する登録通知をネットワーク制御手段２２に出力する。本情報表示端末においては、表示制御手段２１は、登録通知に対する応答待ちの間でも、操作部からの操作を受け付けて、画面の切り替えや登録通知の送出を行う。
【００２９】
［ネットワーク制御手段２２］
また、ネットワーク制御手段２２は、表示制御手段２１からの登録通知に基づいて、配信サーバ１に対して気配系データを要求する登録要求を送信し、受信した気配系データを表示制御手段２１に出力する。
特に、本情報表示端末のネットワーク制御手段２２では、登録要求中であっても表示制御手段２１からの新たな登録通知を受け付け可能としており、この場合の処理が特徴となっている。ネットワーク制御手段２２の処理については後で詳述する。
【００３０】
［テーブル］
また、記憶部に、気配系データの受信や表示を管理するための情報（気配系銘柄管理情報）として、表示銘柄テーブル２３と、受信銘柄テーブル２４と、受信処理待ち銘柄テーブル２５とを備えている。
表示銘柄テーブル２３は、表示制御手段２１によって書き込み及び削除が行われ、受信銘柄テーブル２４と受信処理待ち銘柄テーブル２５は、ネットワーク制御手段２２によって書き込み、削除、参照が行われる。
【００３１】
各テーブルが記憶している情報について説明する。
［表示銘柄テーブル２３］
表示銘柄テーブル２３は、表示制御手段２１が表示している銘柄を記憶するものであり、操作部からある銘柄の個別画面を表示する指示が入力された場合に表示制御手段２１によって当該銘柄名が記憶され、画面切り替えの操作によって別の銘柄の表示指示が入力された場合に更新されるものである。
【００３２】
［受信銘柄テーブル２４］
受信銘柄テーブル２４は、ネットワーク制御手段２２が配信サーバ１に気配系データの配信を要求している（登録要求送信済みの）銘柄を記憶する。そして、ネットワーク制御手段２２が配信サーバ１に対して新たな登録要求を送信すると、受信銘柄テーブル２４を更新するようになっている。
【００３３】
［受信処理待ち銘柄テーブル２５］
また、受信処理待ち銘柄テーブル２５は、表示制御手段２１から登録要求を受信した最新の銘柄を記憶する。つまり、既に別の銘柄が受信処理待ち銘柄テーブル２５に記憶されている場合には、新たに登録要求を受信した銘柄で更新するようになっている。
つまり、受信処理待ち銘柄テーブル２５に記憶されている銘柄は、表示銘柄テーブル２３に記憶されている銘柄と一致している。
これにより、操作者の操作により次々に表示させる銘柄が切り替わったとしても、配信サーバ１に登録要求すべき最新の銘柄を管理することができるものである。
【００３４】
尚、本情報表示端末では、表示銘柄テーブル２３と受信処理待ち銘柄テーブル２５とを独立して設けているが、表示制御手段２１とネットワーク制御手段２２とで同一のテーブルを参照可能であれば、表示銘柄テーブル２３と受信処理待ち銘柄テーブル２５を一体として構成してもよい。請求項に記載した第２のテーブルは、このように表示銘柄テーブル２３と受信処理待ち銘柄テーブル２５の機能を兼ね備えたテーブルである。
【００３５】
［本情報表示端末における動作：図３］
次に、本情報表示端末における気配系データ要求／表示の動作について図３を用いて説明する。
図３に示すように、表示制御手段２１は、操作部から銘柄Ａの表示の指示が行われると、銘柄Ａの個別画面を表示すると共に、表示銘柄テーブル２３に銘柄Ａを記憶する（１）。
そして、表示制御手段２１は、ネットワーク制御手段２２に対して銘柄Ａの気配系データを要求するため、銘柄Ａの登録要求を送信する（銘柄Ａ登録通知）（２）。
【００３６】
ネットワーク制御手段２２は、現在配信サーバ１に登録要求を行っていないことを確認し、配信サーバ１に銘柄Ａの登録要求を送信する（３）。
更に、ネットワーク制御手段２２は、受信銘柄テーブル２４と、受信処理待ち銘柄テーブル２５に銘柄Ａを登録する。
【００３７】
そして、配信サーバ１から銘柄Ａについての登録応答を受信する前に、操作部から銘柄Ｂへ表示切替の指示が入力されると、表示制御手段２１は、銘柄Ｂの個別画面を表示すると共に、表示銘柄テーブル２３を銘柄Ｂで更新する。つまり、銘柄Ａが削除され、銘柄Ｂが記憶される（５）。
更に、表示制御手段２１は、ネットワーク制御手段２２に対して銘柄Ｂの登録要求を送信する（銘柄Ｂ登録通知）（６）。
【００３８】
ネットワーク制御手段２２は、登録要求中（ここでは銘柄Ａについて）であって配信サーバ１に対して銘柄Ｂの登録要求を送信できないことを認識すると、受信処理待ち銘柄テーブル２５を銘柄Ｂで更新する。つまり、既に記憶されている銘柄Ａは削除され、新たに登録通知を受けた銘柄Ｂが記憶される（７）。
この時点では、既に個別画面は銘柄Ｂに切り替わっているので、取得すべきなのは銘柄Ｂの気配系データであり、受信処理待ち銘柄テーブル２５ではそのことを管理している。
【００３９】
そして、まだ配信サーバ１から銘柄Ａについての登録応答を受信しない内に、操作部から銘柄Ｃへの表示切替の指示が入力されると、表示制御手段２１は、銘柄Ｃの個別画面を表示すると共に、表示銘柄テーブル２３を銘柄Ｃで更新する（８）。
更に、表示制御手段２１は、ネットワーク制御手段２２に対して銘柄Ｃの登録要求を送信する（銘柄Ｃ登録通知）（９）。
【００４０】
ネットワーク制御手段２２は、登録要求中（ここでは銘柄Ａについて）であることを認識すると、受信処理待ち銘柄テーブル２５を銘柄Ｃで更新する。つまり、既に記憶されている銘柄Ｂは削除され、銘柄Ｃが記憶される（１０）。
この時点で、取得すべき気配系データは銘柄Ｃのものとなる。
【００４１】
そして、配信サーバ１から銘柄Ａの登録応答が送信されると（１１）、情報表示端末のネットワーク制御手段２２は、受信銘柄テーブル２４と受信処理待ち銘柄テーブル２５とを比較する。
図３の例では、受信銘柄テーブル２４には銘柄Ａが記憶されており、受信処理待ち銘柄テーブル２５には銘柄Ｃが記憶されており、一致しないので、ネットワーク制御手段２２は、配信サーバ１に対して、その時点で取得すべき銘柄Ｃの登録要求と既に不要となった銘柄Ａの削除要求とを含む変更要求を送信する（１２）。
それと共に、ネットワーク制御手段２２は、受信銘柄テーブル２４を銘柄Ｃで更新する。
【００４２】
その後、操作部から画面切り替えの操作がないまま（表示制御手段２１から登録通知を受信しないまま）銘柄Ｃの登録応答が受信されると、ネットワーク制御手段２２は、受信銘柄テーブル２４と受信処理待ち銘柄テーブル２５とを比較し、どちらにも銘柄Ｃが記憶されていて一致するので、ネットワーク制御手段２２は配信サーバ１からの気配系データを待ち受け、受信すると、当該データを表示制御手段２１に出力する。
表示制御手段２１は、銘柄Ｃの個別画面に銘柄Ｃの気配系データを表示する。
このようにして本情報表示端末の動作が行われるものである。
【００４３】
すなわち、本情報表示端末では、配信サーバ１に対しては、銘柄Ａの登録要求を送信した後、当該要求に対する応答を受信するまで待ち受けると共に、操作部からの表示切替操作は随時受け付け、それに伴う登録要求を受信処理待ち銘柄テーブル２５でバッファして切り替え操作に応じて更新することにより、操作性を向上させ、次々と切り替えられる個別画面に応じて気配系データを要求して表示させることができるものである。
【００４４】
［複数の銘柄の組み合わせを指定する場合：図３］
上述した例では、銘柄Ａ，銘柄Ｂ，銘柄Ｃのように一つの銘柄を表示させる場合を例として説明したが、本情報表示端末では、複数の銘柄の組み合わせを一覧画面で表示する場合等、複数銘柄の組み合わせを一つの銘柄と同様に扱って気配系データの要求を行うことができる。
【００４５】
図３の例では、６つの銘柄の組み合わせを１つのグループとして、グループを指定して表示やデータの要求を行うようになっている。グループ名と複数の銘柄名とは記憶部のテーブルに対応付けられて記憶されている。
グループを指定する場合の動作は、一つの銘柄について気配系データの要求や表示を行う場合とほとんど同じであるが、各テーブルには個々の銘柄名が記憶される。
【００４６】
例えば、グループＡは銘柄ａ１，ａ２，ａ３，ａ４，ａ５，ａ６を含み、グループＢが銘柄ｂ１，ｂ２，ｂ３，ｂ４，ｂ５，ｂ６を含むものとすると、グループＡの個別画面の表示指示が入力されると、画面上に銘柄ａ１，ａ２，ａ３，ａ４，ａ５，ａ６の情報が一覧表示され、それと共に表示制御手段２１は、表示銘柄テーブルに銘柄ａ１，ａ２，ａ３，ａ４，ａ５，ａ６を記憶する。
【００４７】
同様に、ネットワーク制御手段２２は、グループＡの銘柄についての登録要求を配信サーバ１に送信し、受信銘柄テーブル２４及び受信処理待ち銘柄テーブル２５に銘柄ａ１，ａ２，ａ３，ａ４，ａ５，ａ６を記憶する。
【００４８】
そして、グループＡについての登録応答を受信しない内に、表示がグループＢに切り替えられると、表示制御手段２１は、表示銘柄テーブルを銘柄ｂ１，ｂ２，ｂ３，ｂ４，ｂ５，ｂ６で更新し、グループＢの銘柄について登録要求を行う。
【００４９】
ネットワーク制御手段２２は、別の銘柄（グループ）について配信サーバ１に対して登録要求が為されていることを認識すると、受信処理待ち銘柄テーブル２５をグループＢの銘柄で更新する。つまり、グループＡの銘柄は削除され、グループＢの銘柄が記憶される。
【００５０】
そして、グループＡについての登録応答を受信すると、ネットワーク制御手段２２は、受信銘柄テーブル２４と受信処理待ち銘柄テーブル２５とを比較して、配信サーバ１に対して、グループＡについての登録要求を削除する要求と、グループＢの銘柄についての登録要求を含む変更要求を送信し、受信銘柄テーブルにグループＢの銘柄を記憶する。
【００５１】
そして、ネットワーク制御手段２２は、グループＢについての登録応答、及びそれに続いて気配系データを受信すると、受信銘柄テーブル２４と受信処理待ち銘柄テーブル２５とを比較して、一致することを確認し、表示制御手段２１に気配系データを出力し、グループＢの個別画面で表示する。
このようにして、複数の銘柄が組み合わされたグループについての気配系データの要求が行われる。
これにより、簡単な処理で複数の銘柄について同時に一覧表示を行ったり、気配系データの要求の制御を行うことができ、利便性を向上できるものである。
【００５２】
［情報表示端末のネットワーク制御手段における処理：図４］
次に、本情報表示端末のネットワーク制御手段における処理について図４を用いて説明する。図４は、本情報表示端末のネットワーク制御手段における処理を示すフローチャートである。
図４に示すように、ネットワーク制御手段２２は、表示制御手段２１から気配系データを要求する登録通知を受信すると（１００）、配信サーバ１に登録要求中であるかどうかを判断し（１０２）、登録要求中でなければ（Noの場合）、配信サーバ１に当該銘柄の登録要求を送信し（１０４）、受信銘柄テーブル２４を更新する（１０６）。
そして、ネットワーク制御手段２２は、配信サーバ１からの登録応答を待ち受ける（１２０）。
【００５３】
また、処理１０２で、配信サーバ１に登録要求中であれば（Yesの場合）、ネットワーク制御手段２２は、当該通知された銘柄で受信処理待ち銘柄テーブル２５を更新し（１１０）、処理１２０に移行する。
【００５４】
そして、ネットワーク制御手段２２は、登録応答を受信したか否かを判断し、まだ登録応答を受信していない場合には、表示制御手段２１から新たな登録通知を受信したかどうかを判断し（１２２）、登録通知を受信していない場合には（Noの場合）、処理１２０に戻って登録応答を待ち受ける。
また、処理１２２で新たな登録通知を受信した場合には、ネットワーク制御手段２２は、処理１０２に移行する。
【００５５】
処理１２０で登録応答を受信した場合には、ネットワーク制御手段２２は、受信銘柄テーブル２４と受信処理待ち銘柄テーブル２５とを比較し（１３０）、両テーブルに記憶されている銘柄が一致するか否かを判断し（１３２）、一致しない場合には、受信銘柄テーブル２４に記憶されている銘柄について登録削除要求を配信サーバ１に送信すると共に、受信処理待ち銘柄テーブル２５に記憶されている銘柄について登録要求を配信サーバ１に送信する（１３４）。
【００５６】
また、処理１３２において、受信銘柄テーブル２４と受信処理待ち銘柄テーブル２５とに記憶されている銘柄が一致した場合には（Yesの場合）、ネットワーク制御手段２２は、登録通知に続いて受信する気配系データを表示制御手段２１に出力する（１３６）。
このようにして、本情報表示端末のネットワーク制御手段２２の処理が行われる。
【００５７】
［実施の形態の効果］
本発明の実施の形態に係る情報表示端末によれば、制御部に、表示制御を行う表示制御手段２１と、配信サーバ１に対する要求や受信を行うネットワーク制御手段２２とを備え、記憶部に、サーバに対して気配系データを要求する登録要求を行っている銘柄を記憶する受信銘柄テーブル２４と、現在表示中であって表示制御部２１から登録通知を受信した銘柄を記憶する受信処理待ち銘柄テーブル２５とを備え、表示制御手段２１が、ある銘柄について登録通知を出力後サーバからのデータの受信待ちであっても操作部からの操作に基づいて表示画面を別の銘柄に切り替えると共に別の銘柄の登録通知をネットワーク制御手段２２に出力し、ネットワーク制御手段２２が、表示制御手段２１から登録通知を受信した際に、登録要求中でなければ受信銘柄テーブル２４と受信処理待ち銘柄テーブル２５とに当該銘柄を記憶して、配信サーバ１に登録要求を送信し、登録要求中であれば受信処理待ち銘柄テーブル２５を当該銘柄で更新し、配信サーバ１から登録要求に対する登録応答を受信すると、受信銘柄テーブル２４と受信処理待ち銘柄テーブル２５とを比較して、一致すれば配信サーバ１から受信する気配系データを表示制御手段２１に出力し、一致しなければ受信処理待ち銘柄テーブル２５に記憶されている銘柄の登録要求を送信して受信銘柄テーブル２４を更新する情報表示端末としているので、配信サーバ１に対して登録要求中であっても操作部からの操作を可能として、次々と銘柄を切り替えて約定系データを表示しておき、登録要求に応じて気配系データを受信すると当該画面で表示し、また、登録要求を行った時点と当該要求に対する登録応答を受信した時点とで表示している銘柄が異なっていれば、最新の表示銘柄について登録要求を行って、所望の気配系データを受信することができ、操作性及び利便性を向上させることができる効果がある。
【産業上の利用可能性】
【００５８】
本発明は、使い勝手及び利便性を向上させることができる情報表示端末に適している。
【符号の説明】
【００５９】
１…配信サーバ、  ２…クライアント、  ２１…表示制御手段、  ２２…ネットワーク制御手段、  ２３…表示銘柄テーブル、  ２４…受信銘柄テーブル、  ２５…受信処理待ち銘柄テーブル
【図１】
2011134154.tif 000003
【図２】
2011134154.tif 000004
【図３】
2011134154.tif 000005
【図４】
2011134154.tif 000006